(57)【特許請求の範囲】
【請求項１】
マスカラ液を収容する容器（１）と、容器（１）に対して着脱される塗布体（２）と、塗布体（２）に対して着脱される整形体（３）とを備えており、
塗布体（２）は、容器（１）の内部に差し込まれる中空軸状の塗布ロッド（１１）と、塗布ロッド（１１）の端部に設けられる塗布部（１２）とを備えており、
整形体（３）は、まつ毛をヒーター（２９）の熱で加熱しながら整形する加熱整形部（２２）を備えており、
整形体（３）を塗布体（２）に装着した状態において、整形体（３）の加熱整形部（２２）が塗布体（２）の塗布ロッド（１１）の内部に収納してあることを特徴とするマスカラ塗布具。
【請求項２】
塗布体（２）に、容器（１）の出入口（４）に着脱される塗布グリップ（１０）が設けられており、
整形体（３）に、塗布グリップ（１０）に着脱される整形グリップ（２０）が設けられており、
容器（１）に塗布体（２）を装着し、塗布体（２）に整形体（３）を装着した状態において、塗布グリップ（１０）の周面と、整形グリップ（２０）の周面とが連続している請求項１に記載のマスカラ塗布具。
【請求項３】
整形体（３）が、整形ロッド（２１）と、整形ロッド（２１）の突端に設けられる加熱整形部（２２）とを備えており、
整形体（３）を塗布体（２）に装着した状態において、整形体（３）の整形ロッド（２１）が塗布ロッド（１１）に差込まれて、加熱整形部（２２）が塗布体（２）の塗布部（１２）の内部に収納されている請求項１または２に記載のマスカラ塗布具。
【請求項４】
容器（１）と、塗布体（２）と、整形体（３）のそれぞれの断面形状と直径が略同一に形成され、記載した順番で隣接するように直線状に配置してある請求項２または３に記載のマスカラ塗布具。
【請求項５】
整形グリップ（２０）の上下長さが、塗布グリップ（１０）の上下長さより大きく設定されており、
整形体（３）を塗布体（２）に装着した状態において、塗布グリップ（１０）および整形グリップ（２０）の複数箇所を手指で支えることができる請求項２、３または４のいずれかひとつに記載のマスカラ塗布具。
【請求項６】
整形体（３）を塗布体（２）に装着した状態において、整形グリップ（２０）が塗布グリップ（１０）の内部に収納してある請求項１または３に記載のマスカラ塗布具。
【発明の詳細な説明】
【技術分野】
【０００１】
本発明は、マスカラ容器と、マスカラ液の塗布体と、まつ毛整形体を備えているマスカラ塗布具に関する。まつ毛整形体は、マスカラ液が塗布される前のまつ毛を、加熱しながらカールすることができる。
【背景技術】
【０００２】
本発明のマスカラ塗布具に関して、特許文献１の塗布器具が公知である。そこでは、マスカラ液を収容する容器およびキャップと、塗布ヘッドを備えた塗布具と、塗布ヘッドを加熱する加熱装置などで塗布器具を構成している。摘みを兼ねるキャップの内部には、加熱装置の電源となる電池が配置してあり、キャップと一体化された塗布具の塗布ヘッドの内部には、抵抗加熱素子が配置してある。容器にねじ込まれたキャップを容器から取外すと、給電用の回路が閉じられて抵抗加熱素子を発熱させることができ、この熱で塗布ヘッドの基部表面に付着したマスカラ液を加熱して均一に拡散し流動させた状態でまつ毛に塗布できる。
【０００３】
同様に、発熱体を備えたマスカラパッケージが特許文献２に開示されている。そこでは、スカラ液を収容する容器および取っ手（キャップ）と、取っ手の下部に突出されるブラシ棒と、ブラシ棒の下部に設けた発熱塗布部と、取っ手の内部に収容した電池などでマスカラパッケージを構成している。取っ手の外面にはスイッチノブが設けてあり、このノブをオン操作することにより発熱体に通電して発熱塗布部を加熱し、発熱塗布部の外面のブリッスルに付着したマスカラ液を加熱された状態でまつ毛に塗布できる。さらに、発熱塗布部を容器内に収容した状態のままで、スイッチノブをオン操作することにより、低温のマスカラ液を加熱してその粘度を低下させることができる。
【先行技術文献】
【特許文献】
【０００４】
【特許文献１】特開２００８−２１２６８８号公報（段落番号００３１〜００３２、図２）
【特許文献２】特表２００９−５３２０８３号公報（段落番号００３３、図２）
【発明の概要】
【発明が解決しようとする課題】
【０００５】
特許文献１のマスカラ塗布具によれば、キャップを容器から取外す動作に連動して抵抗加熱素子を発熱させ、塗布ヘッドに付着したマスカラ液を加熱し均一に拡散し流動させた状態でまつ毛に塗布できる。しかし、特許文献１のマスカラ塗布具は、マスカラ液をまつ毛に塗布する機能を備えているに過ぎない。そのため、前段のまつ毛をカールする作業と、後段のまつ毛に付着したダマ（マスカラ塊）を除去する作業を行う際に、別途まつ毛整形具とマスカラコームを用意する必要があり、一連の作業が煩雑で化粧に多くの手間が掛かってしまう。
【０００６】
その点、特許文献２のマスカラ塗布具は、発熱塗布部にまつ毛をカールする櫛と、マスカラ液を塗布するブラシとが設けてあるので、一連の作業を少ない手間で行うことができる。しかし、まつ毛をカールするための櫛がブラシと共に、容器内のマスカラ液に浸漬されるため、まつ毛をカールする際には、櫛に付着したマスカラ液を除去する必要があり、余分な手間が掛かる。マスカラ液が無駄に消費される不利もある。
【０００７】
また、特許文献２のマスカラ塗布具は、発熱塗布部の温度を高い温度に設定しておくことにより、まつ毛を櫛で好適にカールできる。しかし、まつ毛のカールに適した温度でマスカラ液を加熱すると、マスカラ液が過度に加熱されて劣化し、あるいは溶剤が蒸散するなどの不具合を生じる。逆に、発熱塗布部の温度を低い温度に設定しておくと、マスカラ液の劣化を防ぎながらその粘度を低下できるが、まつ毛を充分に加熱することができないので、まつ毛のカールに多くの手間と時間が掛かる。こうした不具合は、まつ毛のカールに適した温度と、マスカラ液の粘度を低下させるのに好適な温度とに大きな開きがあるからである。また、発熱塗布部の熱で櫛、およびマスカラ液を直接的に加熱することも一因となっている。
【０００８】
本発明の目的は、まつ毛の整形およびカールを行う整形体と、マスカラ液を塗布する塗布体とを備えていて、まつ毛を適温に加熱しながら整形でき、あるいはマスカラ液を適温に加熱して劣化を防ぎながら粘度を低下できるマスカラ塗布具を提供することにある。
本発明の目的は、まつ毛を化粧する過程で、まつ毛の整形およびカール作業と、マスカラ液の塗布とをより少ない手間で連続して行なうことができる、多機能化されたマスカラ塗布具を提供することにある。
【課題を解決するための手段】
【０００９】
本発明のマスカラ塗布具は、図１に示すように、マスカラ液を収容する容器１と、容器１に対して着脱される塗布体２と、塗布体２に対して着脱される整形体３とを備えている。塗布体２は、容器１の内部に差し込まれる中空軸状の塗布ロッド１１と、塗布ロッド１１の端部に設けられる塗布部１２とを備えている。整形体３は、まつ毛をヒーター２９の熱で加熱しながら整形する加熱整形部２２を備えている。整形体３を塗布体２に装着した状態において、整形体３の加熱整形部２２が塗布体２の塗布ロッド１１の内部に収納してあることを特徴とする。
【００１０】
塗布体２に、容器１の出入口４に着脱される塗布グリップ１０を設ける。整形体３に、塗布グリップ１０に着脱される整形グリップ２０を設ける。容器１に塗布体２を装着し、塗布体２に整形体３を装着した状態において、塗布グリップ１０の周面と、整形グリップ２０の周面とを連続させる。
【００１１】
整形体３は、整形ロッド２１と、整形ロッド２１の突端部に設けられる加熱整形部２２とを備えている。図３に示すように、整形体３を塗布体２に装着した状態において、整形体３の整形ロッド２１が塗布ロッド１１に差込まれて、加熱整形部２２が塗布体２の塗布部１２の内部に収納されるようにする。
【００１２】
容器１と、塗布体２と、整形体３のそれぞれの断面形状と直径が略同一に形成され、記載した順番で隣接するように直線状に配置する。
【００１３】
整形グリップ２０の上下長さを、塗布グリップ１０の上下長さより大きく設定して、整形体３を塗布体２に装着した状態において、塗布グリップ１０および整形グリップ２０の複数箇所を手指で支えることができるようにする。
【００１４】
整形体３を塗布体２に装着した状態において、整形グリップ２０を塗布グリップ１０の内部に収納する（図９参照）。
【発明の効果】
【００１５】
本発明においては、容器１、塗布体２、および整形体３でマスカラ塗布具を構成し、整形体３を塗布体２に装着した状態において、整形体３の加熱整形部２２が塗布体２の塗布ロッド１１の内部に収納されるようにした。このように、塗布体２と整形体３を備えたマスカラ塗布具によれば、整形体３を塗布体２から分離することにより、整形体３の加熱整形部２２でまつ毛を加熱しながら整形することができる。また、加熱整形部２２を塗布体２の塗布ロッド１１の内部に収納した状態で使用することにより、塗布部１２に含ませたマスカラ液をまつ毛に塗布できる。さらに、環境温度が低い場合には、加熱整形部２２を加熱して、その熱で塗布部１２に含ませたマスカラ液を加熱した状態で塗布することができるので、マスカラ液を効果的に塗布できる。加えて、塗布部１２および加熱整形部２２を容器１内に収容した状態で、加熱整形部２２を加熱することにより、マスカラ液を塗布部１２を介して間接的に加熱できるので、マスカラ液が過度に加熱されて劣化するのを防ぎながら、その粘度を低下できる。
【００１６】
塗布体２を利用して不使用状態の整形体３を収納するので、整形体３が他の化粧用具に紛れ込んだり、紛失するのをよく防止できるうえ、整形体３に設けた加熱整形部２２を塗布ロッド１１で保護できる利点もある。さらに、色や性質が異なるマスカラ液を収容する複数の容器１および塗布体２を用意しておけば、整形体３を個々の塗布体２に差換えて使用することにより、複数種のマスカラ液をそれぞれ加熱した状態で塗布できる。
【００１７】
塗布体２に塗布グリップ１０を設け、整形体３に整形グリップ２０を設けると、塗布グリップ１０を持った状態でマスカラ液を塗布でき、さらに、整形グリップ２０を持ってまつ毛の整形を行なうことができる。また、塗布体２と整形体３を一体化した状態では、両グリップ１０・２０を持った状態で塗布体２を使用してマスカラ液を塗布できる。このように、ユーザーは各グリップ１０・２０を好みの状態にして、塗布体２によるマスカラ液の塗布と、整形体３によるまつ毛の整形とを行えるので、マスカラ塗布具の使い勝手を向上できる。さらに、塗布体２と整形体３を一体化した状態において、塗布グリップ１０と整形グリップ２０の周面を連続させると、両グリップ１０・２０の一体感を強調することができ、従って、マスカラ塗布具の全体の印象をシンプルなものとして、高級感を醸すことができる。
【００１８】
整形体３に整形ロッド２１と加熱整形部２２を設け、整形体３を塗布体２に装着した状態において、図３に示すように、加熱整形部２２を塗布体２の塗布部１２の内部に収納すると、加熱整形部２２の熱を効率よく塗布部１２へ伝導することができる。これにより、塗布部１２に保持されたマスカラ液を効果的に加熱して、均一に拡散し流動させた状態のマスカラ液をまつ毛にむらなく的確に塗布できる。
【００１９】
容器１と、塗布体２と、整形体３のそれぞれの断面形状と直径を略同一にし、記載した順番で隣接するように直線状に配置すると、鉛筆を片手で持つのと同様の握り方で塗布体２および整形体３を支持して、マスカラ液の塗布を行なうことができる。つまり、塗布部１２を安定した状態で保持してマスカラ液の塗布を簡便に行なうことができる。また、容器１、塗布体２、整形体３の三者を、記載した順番で隣接するように直線状に配置するので、マスカラ塗布具の全体の印象をさらにシンプルで細身な印象にして高級感を醸すことができる。
【００２０】
整形グリップ２０の上下長さを、塗布グリップ１０の上下長さより大きく設定したマスカラ塗布具によれば、整形体３を取外して塗布グリップ１０を摘んだ状態で、マスカラ液の塗布を軽快に行なうことができる。さらに、整形体３を塗布体２に装着して、塗布グリップ１０および整形グリップ２０の複数箇所を手指で支えた状態、つまり鉛筆を片手で持つのと同様に握って、マスカラ液の塗布を安定した状態で行なうことができる。
【００２１】
整形体３を塗布体２に装着した状態において、整形グリップ２０を塗布グリップ１０の内部に収納すると、整形グリップ２０の長さ分だけマスカラ塗布具の全長を小さくし、コンパクト化できる。また、外観を丸棒状のシンプルなものとしながら、その縦横の寸法差を小さくしてデザイン性を向上できる。さらに、整形グリップ２０の内部に収容される電池３３を塗布グリップ１０で保護できるので、マスカラ塗布具の耐久性を向上できる。
【図面の簡単な説明】
【００２２】
【図１】本発明に係るマスカラ塗布具の分解正面図である。
【図２】本発明に係るマスカラ塗布具の正面図である。
【図３】塗布部および加熱整形部の詳細を示す縦断面図である。
【図４】図３におけるＡ−Ａ線断面図である。
【図５】図３におけるＢ−Ｂ線断面図である。
【図６】マスカラ塗布具の使用例を示す説明図である。
【図７】まつ毛の整形状況、およびマスカラ液の塗布状況を示す説明図である。
【図８】本発明に係るマスカラ塗布具の別実施例を示す分解断面図である。
【図９】本発明に係るマスカラ塗布具の別実施例を示す分解正面図である。
【図１０】本発明に係る整形体の別実施例を示す断面図である。
【図１１】本発明に係るマスカラ塗布具の別実施例を示す断面図である。
【発明を実施するための形態】
【００２３】
（実施例）  図１ないし図７は本発明に係るマスカラ塗布具の実施例を示す。図１および図２においてマスカラ塗布具は、マスカラ液を収容する容器１と、容器１に対して着脱される塗布体２と、塗布体２に対して着脱される整形体３とで構成する。容器１は円筒状に形成してあり、その上端に塗布体２の出入口４が開口してある。出入口４の周面にはねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【００２４】
塗布体２は、容器１の出入口４に着脱される円筒状の塗布グリップ１０と、容器１の内部に差し込まれる中空軸状の塗布ロッド１１と、塗布ロッド１１の下端部に設けられる塗布部１２とで構成する。塗布グリップ１０の内部は、隔壁１３で下区画１４と上区画１５とに区分されており、下区画１４の内周には、先のねじ軸５に対応するねじ穴１６が形成してある。上区画１５の内周にも同様のねじ穴１７が形成してある。図３および図４に示すように、塗布部１２はブリッスル束１８の一群を、塗布ロッド１１の周囲に放射状に植設して構成してあり、ブリッスル束１８を構成するブリッスルの隙間、あるいはブリッスル束１８の基端部の間にマスカラ液を保持することができる。
【００２５】
整形体３は、円筒状の整形グリップ２０と、整形グリップ２０の下端から下向きに突出する中空の整形ロッド２１と、整形ロッド２１の下端（突端）に設けられる加熱整形部２２などで構成する。整形グリップ２０は、円筒状のグリップ本体２３と、グリップ本体２３の上端の開口を開閉するキャップ２４とで構成してあり、グリップ本体２３の下端に先のねじ穴１７に対応するねじ軸２５が形成してある。キャップ２４はグリップ本体２３にねじ込み装着してある。
【００２６】
図３において加熱整形部２２は、多段状に配置した一群の部分円弧状の櫛歯２８で構成されており、その内部にヒーター２９が配置してある。ヒーター２９は加熱整形部２２の内部の下端でＵ字状に折返される１本のヒーター線で構成してあり、このヒーター線は、絶縁材で形成したヒーター支持軸３０の周囲にニクロム線３１を螺旋状に巻付けて構成してある（図４参照）。各櫛歯２８の間には、まつ毛をカールさせるためのカール面３２が形成してある。先のヒーター２９の一部は、カール面３２の間で露出しており、従って、まつ毛を加熱整形部２２でカールするとき、まつ毛をヒーター２９に接触させることができる。グリップ本体２３の内部には、ヒーター２９の電源となる電池３３が収容してあり、グリップ本体２３の周面にはヒーター２９への通電状態をオン・オフするスイッチノブ３４が設けてある。キャップ２４をグリップ本体２３から取外すことにより、電池３３を交換することができる。
【００２７】
塗布体２の塗布ロッド１１を出入口４から容器１の内部に差込み、その塗布グリップ１０に設けたねじ穴１６をねじ軸５にねじ込むことにより、出入口４を塗布体２で塞いで容器１を密封できる。この状態の塗布部１２と塗布ロッド１１の大半の部分は、容器に収容したマスカラ液に浸漬している。また、整形体３の加熱整形部２２および整形ロッド２１を、上区画１５から塗布ロッド１１の内部に差込み、グリップ本体２３に設けたねじ軸２５を塗布グリップ１０に設けたねじ穴１７にねじ込むことにより、整形体３を塗布体２と一体化することができる。
【００２８】
上記のように、容器１と塗布体２と整形体３を一体化した状態において、マスカラ塗布具の外観上の印象をシンプルなものとするために、容器１と、塗布体２と、整形体３のそれぞれの断面形状と直径を同一に形成している（図５参照）。さらに、容器１と、塗布体２と、整形体３を、下から記載した順番で隣接するように直線状に配置している。ねじ軸５を除く容器１の上下長さは、ねじ軸２５を除く整形グリップ２０の上下長さと略同じであり、塗布グリップ１０の上下長さは、ねじ軸５を除く容器１の上下長さの３分の１である。
【００２９】
容器１と塗布体２と整形体３を一体化した状態の加熱整形部２２は、図３に示すように、整形ロッド２１とともに塗布ロッド１１内に収容されて塗布部１２の内部に位置している。従って、スイッチノブ３４をオン操作すると、ヒーター２９を発熱させて加熱整形部２２を加熱し、さらに加熱整形部２２の熱を塗布ロッド１１の筒壁を介して塗布部１２へ伝導することができる。発熱状態における加熱整形部２２の温度は約７０℃であり、塗布部１２における塗布ロッド１１の周面の温度は４０〜５０℃である。塗布部１２を容器１内に装填した状態でヒーター２９を発熱させると、固化しかけた状態のマスカラ液を加熱して４０℃前後に温めることができる。
【００３０】
上記のように構成したマスカラ塗布具は、まつ毛を整形しカールする作業と、マスカラ液を塗布する作業を行う際に使用することができる。まつ毛を整形しカールする際には、図７（ａ）に示すように、整形体３を塗布体２から取外して、加熱整形部２２を露出させ、その状態でスイッチノブ３４をオン操作してヒーター２９を発熱させる。次に、櫛歯２８が上向きになる状態で整形ロッド２１を水平に支持し、まつ毛の湾曲中央部を櫛歯２８で梳き分けながらカール面３２をまつ毛にあてがう。この状態で、まつ毛をヒーター２９で加熱しながら上向きにすくい上げ、さらにカール面３２を眉毛の側へ回転させてまつ毛をカールさせる。この状態を保持してカール部分をヒーター２９で加熱しながら、加熱整形部２２の全体を上向きに押し上げることにより、まつ毛を毛先部分まで確実にカールすることができる。同様にして、目頭側および目尻側のまつ毛を加熱整形部２２でカールすることができる。なお、まつ毛をカールさせるときは、捕捉したまつ毛がカール面３２に沿って横移動するのを櫛歯２８で規制でき、従って、隣接する櫛歯２８で捕捉したまつ毛の一群を適正にカールできる。この場合に、整形体３を容器側から取外しても、塗布体２が容器１に取付けてあれば、マスカラ液がこぼれることはない。
【００３１】
まつ毛の整形およびカール作業が終わったら、塗布体２を使用してマスカラ液を塗布する。このとき、環境温度が低い場合には、図７（ｂ）に示すように、塗布体２の内部に整形体３を装填して、スイッチノブ３４をオン操作し、ヒーター２９を発熱させた状態で塗布作業を行なうことにより、塗布部１２を加熱整形部２２で加熱することができる。従って、塗布部１２に付着したマスカラ液の温度を上げて、均一に拡散し流動した状態のマスカラ液を塗布できる。なお、環境温度が高い場合には、スイッチノブ３４をオン操作する必要はない。また、整形体３を塗布体２と一体化した状態では、図６に示すように、塗布グリップ１０と整形グリップ２０を、鉛筆を握り締めるようにして持つことができるので、塗布部１２を安定した状態で保持してマスカラ液の塗布を簡便に行なうことができる。
【００３２】
最後にマスカラコームを使用して、まつ毛を数回梳き流すことにより、まつ毛のカール形状を整えることができる。なお、上述したように、塗布部１２を加熱する必要がない場合には、スイッチノブ３４をオフ操作しておく。あるいは、整形体３を塗布体２から分離した状態のままで、塗布グリップ１０を摘んでマスカラ液を塗布することができ、その場合には、塗布グリップ１０の摘み姿勢や傾きを自由に変更できる。例えば、先端のブリッスル束１８の毛先を使って目頭や目尻に位置する短いまつ毛にマスカラ液を塗布し、あるいは塗布したマスカラ液の塗布状態を整えることができる。このように、ユーザーは各グリップ１０・２０を好みの状態にして、塗布体２によるマスカラ液の塗布と、整形体３によるまつ毛の整形とを行えるので、マスカラ塗布具の使い勝手を向上できる。
【００３３】
以上のように、マスカラ液を塗布する塗布体２の内部にまつ毛の整形を行う整形体３を配置し、整形体３に設けた加熱整形部２２をヒーター２９で加熱すると、発熱塗布部２２をまつ毛の整形に適した温度状態にして、まつ毛のカールを好適に行える。さらに、塗布部１２および加熱整形部２２を容器１内に収容した状態においては、マスカラ液および塗布部１２を、加熱整形部２２から伝導される熱で間接的に加熱できるので、塗布部１２の温度が不必要に高くなるのを防止でき、従って、マスカラ液が過度に加熱されて劣化するのを防ぎながら、その粘度を低下できる。このように、塗布体２の内部に整形体３を配置するマスカラ塗布具によれば、まつ毛を適温に加熱しながら整形してカールでき、あるいはマスカラ液を適温に加熱して劣化を防ぎながら粘度を低下できることとなる。
【００３４】
図８から図１１にマスカラ塗布具の別実施例を示す。なお、これらの別実施例においては、上記の実施例と異なる部分を主に説明し、上記の実施例と同じ部材には同じ符号を付してその説明を省略する。図８に示すマスカラ塗布具は、塗布ロッド１１の下端に一群の櫛歯３８を一体に成形して塗布部１２とした。櫛歯３８の直線列は、塗布ロッド１１の対向周面の二個所に配置した。また、塗布グリップ１０の上区画１５にねじ穴の代わりに圧嵌溝３９を周回状に形成し、整形グリップ２０のねじ軸の代わりに圧嵌リブ４０を周回状に形成した。この実施例では、整形体３を塗布体２に装着した状態において、圧嵌リブ４０が圧嵌溝３９に係合して、整形体３の装着状態を維持できる。
【００３５】
図９に示すマスカラ塗布具は、塗布体２の塗布グリップ１０の上区画１５を、整形体３の整形グリップ２０よりひとまわり大きく形成して、整形体３を塗布体２に装着した状態において、整形グリップ２０を上区画１５の内部に収納できるようにした。また、整形体３の取出しを容易に行なうために、キャップ２４の周面の対向位置に一対の摘み片４３を膨出する状態で形成した。整形体３を塗布体２に装着した状態においては、摘み片４３が上区画１５の上端周面の２個所に形成した溝４４から露出するので、一対の摘み片４３を親指と人差し指で摘んで整形体３を塗布体２から取出すことができる。スイッチノブ３４はキャップ２４の上端面に配置した。なお、整形体３を塗布体２に装着した状態において、整形グリップ２０を上区画１５の内面に軽く圧嵌させることにより、整形体３の装着状態を維持することができる。
【００３６】
図１０に示すマスカラ塗布具においては、ヒートパイプやアルミニウムで形成した丸軸状の伝熱軸４６と、伝熱軸４６の外面を覆う断熱性を有するプラスチック製の被覆体４７とで整形ロッド２１を構成し、被覆体４７から露出する伝熱軸４６の下部に加熱整形部２２を設けた。また、整形グリップ２０の内部にＰＴＣヒーター（ヒーター）２９を配置して、伝熱軸４６の上端に設けた受熱部４８をＰＴＣヒーター２９に密着させるようにした。さらに、伝熱軸４６に周回状の溝の一群を形成して、溝の間に形成される多段状の櫛歯２８で加熱整形部２２を構成した。このように、加熱整形部２２は、ヒーター２９から伝熱軸４６を介して間接的に伝導される熱で加熱することができる。
【００３７】
図１１に示すマスカラ塗布具においては、容器１、塗布体２の塗布グリップ１０、および整形体３の整形グリップ２０の外面の断面を、各辺部が外膨らみ状の正方形となるようにした。このように容器１、塗布グリップ１０、および整形グリップ２０の断面形状は、楕円、長円、多角形、ハート形など任意形状を選定することができる。また、塗布グリップ１０と整形グリップ２０とは、両者が結合できるものでありさえすれば、両者の外形の違いや、外形の太さの違いとは無関係に自由に選定できる。
【００３８】
上記の実施例以外に、整形体３を塗布体２に装着した状態の加熱整形部２２は、塗布ロッド１１の内部で塗布部１２の近傍に位置する状態で配置することができる。塗布部１２は、ブリッスル束１８と櫛歯３８とが混在する状態で形成することができる。整形グリップ２０の外面には、ヒーター２９が通電状態にあるとき点灯する表示灯や、電池３３の起電力が所定値以下になった場合に点灯する表示灯などを設けることができる。また、電池３３を２次電池で構成して充電式のマスカラ塗布具とすることができる。とくに、２次電池と充電のための接点を整形グリップ２０に配置しておくと、整形体３を塗布体２から取外した状態で充電できるので、容器１内のマスカラ液にとって好ましくない高温環境あるいは低温環境などの環境であっても、容器１およびマスカラ液を好ましくない環境に晒すこともなく２次電池を充電できる。この場合の容器１は塗布体２で封止されているので、マスカラ液が流出することはない。
【００３９】
なお、図１に示す実施例では、塗布体２の塗布部１２と、整形体３の加熱整形部２２とは、内外に対向できるように各ロッド１１・２１の長さを設定したが、環境温度が高く、マスカラ液の予備加熱を必要としない場合には、整形ロッド２１の長さを短くすることができ、これに伴い、整形ロッド２１によるヒーター２９の熱拡散を抑制することができる。また、整形ロッド２１は、ヒーター２９に電力を供給できる構造であることを満足できる限り、熱伝導性の低い素材や形状であることが好ましく、例えば、ポリプロピレン、ＡＢＳ、フッ化ビニリデン、軟質ＰＶＣ、ポリスチレン、アクリルスチロールなどを適用できる。さらに、整形ロッド２１は発泡成形品、なかでも独立発泡成形品で形成することが好ましい。
【００４０】
塗布ロッド１１および整形ロッド２１の断面形状は、楕円状や多角形状であってもよい。また、塗布ロッド１１は、マスカラ液が固着しにくいシリコン、フッ素、ポリプロピレン、ポリエチレンなどの撥水性が高く、柔軟な樹脂チューブで形成することができる。その場合には、柔軟性を有する塗布ロッド１１の内部に、塗布ロッド１１より剛性が大きく硬い整形ロッド２１を挿入することで、塗布ロッド１１の外形を軸方向に沿って直線状に矯正できるので、使用上支障は生じない。
【符号の説明】
【００４１】
１  容器
２  塗布体
３  整形体
４  出入口
１０  塗布グリップ
１１  塗布ロッド
１２  塗布部
２０  整形グリップ
２１  整形ロッド
２２  加熱整形部
２９  ヒーター
３３  電池
【図１】
0005710349.tif 000002
【図２】
0005710349.tif 000003
【図３】
0005710349.tif 000004
【図４】
0005710349.tif 000005
【図５】
0005710349.tif 000006
【図６】
0005710349.tif 000007
【図７】
0005710349.tif 000008
【図８】
0005710349.tif 000009
【図９】
0005710349.tif 000010
【図１０】
0005710349.tif 000011
【図１１】
0005710349.tif 000012